(57)【要約】【課題】防水構造及び叩き入れ構造をより良くすることが可能な電気接続箱及びワイヤハーネスを提供する。【解決手段】電気接続箱１は、複数の電気部品が組み付けられた電気ブロックと、この電気ブロックを収容するための筐体３とを備えて構成される。筐体３は、フレーム１２とアッパーカバー１４とを備え、フレーム１２は、外周壁２２と内周壁２３とを有する。フレーム１２には、係止爪２６と凸状のフレーム側継ぎ目３３とが形成される。一方、アッパーカバー１４は、本体壁４４とカバー周壁４５とを有し、カバー周壁４５には、凹状のカバー側継ぎ目４９が形成される。カバー側継ぎ目４９は、継ぎ目外壁５２と継ぎ目内壁５３とを有し、継ぎ目外壁５２には、係止爪２６に引っ掛けられて係止状態６２になる、又は、アッパーカバー１４を叩きつけた時に係止爪２６にて弾性変形してこの係止爪２６と係止状態になる、係止部４８が形成される。継ぎ目内壁５３は、フレーム１２の内周壁２３に対し近づけた状態に配置形成される。【選択図】図１０
2019088124.tif 000002
【特許請求の範囲】
【請求項１】
複数の電気部品を収容するための筐体を備え、
該筐体は、前記複数の電気部品の取り付け先になるフレームと、該フレームの開口を覆うカバーとを備え、
前記フレームは、該フレームの周方向に複数の外壁を連続させて形成される外周壁と、該外周壁の内側に所定の間隔で配置され且つ複数の内壁を連続させて形成される内周壁とを有し、
前記外周壁の外壁端部及び前記内周壁の内壁端部がある側には、前記カバーにて覆われる前記開口が形成され、
前記複数の外壁のうち一つの外壁には、該一つの外壁の外面から外方に突出する係止爪が形成されるとともに、前記外壁端部に対応する部分に凸状のフレーム側継ぎ目が形成され、
前記カバーは、前記開口に合わせた形状の本体壁と、複数の側壁を連続させて形成されるカバー周壁とを有し、
前記複数の側壁のうち前記一つの外壁に対応する一つの側壁には、前記カバーが前記開口を覆った時に前記フレーム側継ぎ目が挿入される凹状のカバー側継ぎ目が形成され、
該カバー側継ぎ目は、前記一つの外壁よりも外側に配置形成される継ぎ目外壁と、該継ぎ目外壁よりも内側に配置形成される継ぎ目内壁と、前記継ぎ目外壁及び前記継ぎ目内壁を連結する連結壁とを有し、
前記継ぎ目外壁には、前記係止爪に引っ掛けられて係止状態になる、又は、前記本体壁を叩きつけた時に前記係止爪にて弾性変形して該係止爪と係止状態になる、係止部が形成され、
前記継ぎ目内壁は、前記フレーム側継ぎ目よりも、前記複数の内壁のうち前記一つの外壁に対向する一つの内壁に対し近づけた状態に配置形成される
ことを特徴とする電気接続箱。
【請求項２】
請求項１に記載の電気接続箱において、
前記一つの内壁は、前記内壁端部に対応する部分が前記フレーム側継ぎ目の先端よりも前記本体壁の側に延在する形状に形成される
ことを特徴とする電気接続箱。
【請求項３】
請求項１又は２に記載の電気接続箱において、
前記継ぎ目内壁は、該継ぎ目内壁の先端が前記フレーム側継ぎ目の前記先端よりも前記本体壁から離れる側に位置する形状に形成される
ことを特徴とする電気接続箱。
【請求項４】
請求項３に記載の電気接続箱において、
前記継ぎ目内壁は、前記係止部及び／又はこの周辺が前記弾性変形する際に、前記フレーム側継ぎ目の前記先端に対し当接しない長さに形成される
ことを特徴とする電気接続箱。
【請求項５】
請求項１、２、３又は４に記載の電気接続箱において、
前記一つの外壁の前記外面には、前記係止爪の両側に配置されて前記係止状態を保護する一対の係止保護部が突出形成され、
該一対の係止保護部には、前記係止爪に向けて前記係止部を案内する案内部が形成される
ことを特徴とする電気接続箱。
【請求項６】
端末に請求項１、２、３、４又は５に記載の電気接続箱を備えて自動車に配索される
ことを特徴とするワイヤハーネス。
【発明の詳細な説明】
【技術分野】
【０００１】
本発明は、自動車に搭載される電気接続箱に関する。また、この電気接続箱を備えて自動車に配索されるワイヤハーネスに関する。
【背景技術】
【０００２】
自動車に搭載される電気接続箱は、電気ブロックと、この電気ブロックを収容するための筐体とを備えて構成される。電気ブロックは、複数の電気部品が組み付けられるとともに、この電気部品が所定回路に接続されるような状態に形成される。一方、筐体は、電気ブロックが組み付け固定される筐体本体（フレーム）と、この筐体本体の開口部分（電気部品を臨む部分の開口）を覆うカバーとを備えて構成される。
【０００３】
電気接続箱は、カバーに形成された係止部を筐体本体の外壁に形成された係止爪に引っ掛け、そして、係止部と係止爪とを回転中心にしてカバーを回転させた後、カバーのロック部を上記外壁のロック部に嵌合させることで筐体本体の開口部分がカバーにて覆われるようになる。カバーにて覆われると、カバーの継ぎ目及び筐体本体の継ぎ目同士が係合し、外部からの水分に対する防水構造が形成される（例えば下記特許文献１参照）。
【０００４】
尚、係止部が係止爪に引っ掛からず、そのためカバーが浮き上がった状態になってしまうことがあるが、対策としては、カバーを叩いて浮きを解消する構造を採用すればよい。すなわち、カバーを上から叩くことにより係止部を係止爪に当て、そして、係止部の弾性変形により係止爪を乗り越えさせて、係止部と係止爪との係止状態を形成することにより、カバーの浮きを解消する構造（叩き入れ構造）を採用すればよい。
【先行技術文献】
【特許文献】
【０００５】
【特許文献１】特開２０１０−１３０７０５号公報
【発明の概要】
【発明が解決しようとする課題】
【０００６】
上記従来技術にあっては、カバーの継ぎ目及び筐体本体の継ぎ目同士の係合により外部からの水分に対する防水構造が形成される。本願発明者は、防水構造及び上記叩き入れ構造の両面で改善の余地があると考えている。
【０００７】
本発明は、上記した事情に鑑みてなされたもので、防水構造及び叩き入れ構造をより良くすることが可能な電気接続箱及びワイヤハーネスを提供することを課題とする。
【課題を解決するための手段】
【０００８】
上記課題を解決するためになされた請求項１に記載の本発明の電気接続箱は、複数の電気部品を収容するための筐体を備え、該筐体は、前記複数の電気部品の取り付け先になるフレームと、該フレームの開口を覆うカバーとを備え、前記フレームは、該フレームの周方向に複数の外壁を連続させて形成される外周壁と、該外周壁の内側に所定の間隔で配置され且つ複数の内壁を連続させて形成される内周壁とを有し、前記外周壁の外壁端部及び前記内周壁の内壁端部がある側には、前記カバーにて覆われる前記開口が形成され、前記複数の外壁のうち一つの外壁には、該一つの外壁の外面から外方に突出する係止爪が形成されるとともに、前記外壁端部に対応する部分に凸状のフレーム側継ぎ目が形成され、前記カバーは、前記開口に合わせた形状の本体壁と、複数の側壁を連続させて形成されるカバー周壁とを有し、前記複数の側壁のうち前記一つの外壁に対応する一つの側壁には、前記カバーが前記開口を覆った時に前記フレーム側継ぎ目が挿入される凹状のカバー側継ぎ目が形成され、該カバー側継ぎ目は、前記一つの外壁よりも外側に配置形成される継ぎ目外壁と、該継ぎ目外壁よりも内側に配置形成される継ぎ目内壁と、前記継ぎ目外壁及び前記継ぎ目内壁を連結する連結壁とを有し、前記継ぎ目外壁には、前記係止爪に引っ掛けられて係止状態になる、又は、前記本体壁を叩きつけた時に前記係止爪にて弾性変形して該係止爪と係止状態になる、係止部が形成され、前記継ぎ目内壁は、前記フレーム側継ぎ目よりも、前記複数の内壁のうち前記一つの外壁に対向する一つの内壁に対し近づけた状態に配置形成されることを特徴とする。
【０００９】
このような請求項１の特徴を有する本発明によれば、カバー側継ぎ目を構成する継ぎ目内壁をフレームの内周壁に対し近づけた状態に配置形成することから、外部から浸入した水分を内周壁の内側の電気部品（電気ブロックなども含む）まで到達させ難くすることができる。また、上記近づけた状態に継ぎ目内壁を配置形成することから、カバーの浮き上がりを解消するための叩き入れをする際に、この叩き入れに影響するような当たり（当接）を起こらせないようにすることができる。従って、本発明によれば、防水構造及び叩き入れ構造をより良くすることができる。
【００１０】
請求項２に記載の本発明は、請求項１に記載の電気接続箱において、前記一つの内壁は、前記内壁端部に対応する部分が前記フレーム側継ぎ目の先端よりも前記本体壁の側に延在する形状に形成されることを特徴とする。
【００１１】
このような請求項２の特徴を有する本発明によれば、外部から浸入した水分を内周壁の内側の電気部品まで更に到達させ難くし、結果、防水性を向上させることができる。
【００１２】
請求項３に記載の本発明は、請求項１又は２に記載の電気接続箱において、前記継ぎ目内壁は、該継ぎ目内壁の先端が前記フレーム側継ぎ目の前記先端よりも前記本体壁から離れる側に位置する形状に形成されることを特徴とする。
【００１３】
このような請求項３の特徴を有する本発明によれば、外部から浸入した水分を内周壁の内側の電気部品まで更に到達させ難くし、結果、防水性を向上させることができる。
【００１４】
請求項４に記載の本発明は、請求項３に記載の電気接続箱において、前記継ぎ目内壁は、前記係止部及び／又はこの周辺が前記弾性変形する際に、前記フレーム側継ぎ目の前記先端に対し当接しない長さに形成されることを特徴とする。
【００１５】
このような請求項４の特徴を有する本発明によれば、叩き入れに影響するような当たり（当接）を起こらせないようにすることができる。
【００１６】
請求項５に記載の本発明は、請求項１、２、３又は４に記載の電気接続箱において、前記一つの外壁の前記外面には、前記係止爪の両側に配置されて前記係止状態を保護する一対の係止保護部が突出形成され、該一対の係止保護部には、前記係止爪に向けて前記係止部を案内する案内部が形成されることを特徴とする。
【００１７】
このような請求項５の特徴を有する本発明によれば、係止爪と係止部との係止状態を保護することができるとともに、係止爪に向けて係止部を案内する構造の採用により係止状態の確実な形成を図ることもできる。
【００１８】
また、上記課題を解決するためになされた請求項６に記載の本発明のワイヤハーネスは、端末に請求項１、２、３、４又は５に記載の電気接続箱を備えて自動車に配索されることを特徴とする。
【００１９】
このような請求項６の特徴を有する本発明によれば、電気接続箱の防水構造をより良くしたワイヤハーネスを提供することができる。
【発明の効果】
【００２０】
本発明の電気接続箱によれば、防水構造及び叩き入れ構造をより良くすることができるという効果を奏する。また、本発明のワイヤハーネスによれば、より良いワイヤハーネスを提供することができるという効果を奏する。
【図面の簡単な説明】
【００２１】
【図１】本発明の電気接続箱の一実施形態を示す斜視図である。
【図２】電気接続箱の平面図である。
【図３】図２のＡ−Ａ線断面図である。
【図４】カバーを取り付ける際の状態を示す斜視図（正規の取り付け構造及び叩き入れの取り付け構造）である。
【図５】図４の矢印Ｂから見た図である。
【図６】図４のＣ−Ｃ線断面図である。
【図７】図６の要部拡大図（正規の取り付け構造）である。
【図８】図６の要部拡大図（叩き入れの取り付け構造）である。
【図９】カバーを取り付けた際の係止爪と係止部との係止状態及び防水構造を示す断面図である。
【図１０】図９の要部拡大図である。
【図１１】叩き入れ途中の状態を示す断面図である。
【図１２】係止保護部の変形例を示す電気接続箱の斜視図である。
【図１３】図１２の係止保護部の拡大図である。
【発明を実施するための形態】
【００２２】
電気接続箱は、複数の電気部品が組み付けられた電気ブロックと、この電気ブロックを収容するための筐体とを備えて構成される。筐体は、フレームとカバーとを備え、フレームは、外周壁と内周壁とを有する。フレームには、係止爪と凸状のフレーム側継ぎ目とが形成される。一方、カバーは、本体壁とカバー周壁とを有し、カバー周壁には、凹状のカバー側継ぎ目が形成される。カバー側継ぎ目は、継ぎ目外壁と継ぎ目内壁とを有し、継ぎ目外壁には、係止爪に引っ掛けられて係止状態になる、又は、カバーを叩きつけた時に係止爪にて弾性変形してこの係止爪と係止状態になる、係止部が形成される。継ぎ目内壁は、フレームの内周壁に対し近づけた状態に配置形成される。
【実施例】
【００２３】
以下、図面を参照しながら実施例を説明する。図１は本発明の電気接続箱の一実施形態を示す斜視図である。また、図２は電気接続箱の平面図、図３は図２のＡ−Ａ線断面図、図４はカバーを取り付ける際の状態を示す斜視図、図５は図４の矢印Ｂから見た図、図６は図４のＣ−Ｃ線断面図、図７及び図８は図６の要部拡大図、図９は係止状態及び防水構造を示す断面図、図１０は図９の要部拡大図、図１１は叩き入れ途中の状態を示す断面図である。尚、図中の矢印Ｐは上下方向、矢印Ｑは左右方向、矢印Ｒは前後方向を示すものとする。
【００２４】
＜電気接続箱１の構成について＞
図１ないし図３において、電気接続箱１は、外部に露出した状態でトラックに搭載される（一例であるものとする）。具体的には、トラックにおけるキャビンと荷台との間の、雨が掛かったり雪が積もったりする部分に搭載される。このような電気接続箱１は、電気ブロック２と、この電気ブロック２を収容するための筐体３とを備えて構成される。また、電気接続箱１は、筐体３の内部に図示しないワイヤハーネスが引き込まれるように構成される（ワイヤハーネスは、この端末等の所定位置に電気接続箱１を備えて自動車に配索される）。
【００２５】
＜電気ブロック２について＞
図３において、電気ブロック２は、複数の電気部品が組み付けられる部材として備えられる。また、電気ブロック２は、上記電気部品が所定回路に接続される部材として備えられる。具体的には、リレー４が樹脂製のリレー組み付け部５に組み付けられるとともに、ヒューズ６、７、８が樹脂製のヒューズ組み付け部９、１０、１１に組み付けられるような部材として備えられる（電気ブロック２の構成は一例である）。
【００２６】
以上のような電気ブロック２は、カセット式のものであり、後述するフレーム１２に対し着脱自在に組み付けられる。電気ブロック２に関しては、この名称をカセットブロック２と読み替えてもよいものとする。
【００２７】
＜筐体３について＞
図１ないし図６において、筐体３は、絶縁性を有する樹脂製であって、電気ブロック２が着脱自在に組み付けられるフレーム１２と、このフレーム１２の上部開口１３（開口）を覆うアッパーカバー１４（カバー）と、フレーム１２の下部開口１５を覆うロアカバー１６とを備えて構成される。このような筐体３には、固定脚部１７、１８、１９が設けられる。また、筐体３には、図示しないワイヤハーネスが挿通される挿通孔２０と、ワイヤハーネスの端末に対する端末収容空間２１とが形成される。
【００２８】
尚、上記上部開口１３（開口）は、後述する外周壁２２の外壁端部３２及び内周壁２３の内壁端部４２を含んでの開口であるものとする。また、上記下部開口１５は、上部開口１３の反対側の開口、すなわち下側の開口であるものとする。
【００２９】
＜フレーム１２について＞
図１及び図６において、フレーム１２は、樹脂成形品であって、矢印Ｐの上下方向にのびて高さがある外周壁２２と、この外周壁２２の内側に配設される内周壁２３とを有して、上下が開口する箱形状の部材に形成される。このようなフレーム１２の外周壁２２には、アッパーカバー１４に対するロック部２４、２５と、同じくアッパーカバー１４に対する一対の係止爪２６と、ロアカバー１６に対するロック部（符号省略）とが設けられる。また、外周壁２２には、係止爪２６に合わせて一対の係止保護部２７が設けられる。さらに、外周壁２２には、上記固定脚部１７、１８が設けられる。一方、内周壁２３の内側には、電気ブロック２の組み付け先になる組み付け部２８が形成される。この組み付け部２８は、カセット式の電気ブロック２の形状に合わせて形成される。フレーム１２は、外周壁２２及び内周壁２３を有することから、これら外周壁２２及び内周壁２３の部分が二重壁の構造２９となるように形成される。
【００３０】
＜二重壁の構造２９について＞
図４ないし図８において、二重壁の構造２９は、外周壁２２と、内周壁２３と、これら外周壁２２及び内周壁２３を連結する複数の連結リブ３０と、外周壁２２及び内周壁２３の間で複数の連結リブ３０により区画形成される隙間３１とを備えて構成される。
【００３１】
＜外周壁２２について＞
図４ないし図６において、外周壁２２は、フレーム１２の周方向に複数の外壁２２ａ、２２ｂ、２２ｃ…を連続させて略枠状に形成される。このような外周壁２２において、上記上部開口１３（開口）がある側の端部をここでは外壁端部３２と呼ぶことにする。また、複数の外壁２２ａ、２２ｂ、２２ｃ…のうち、一対の係止爪２６が形成される壁を外壁２２ａ（一つの外壁）と呼ぶことにすると、この外壁２２ａの一対の係止爪２６は、外面から外方に突出する部分に形成される。外壁２２ａの外壁端部３２に対応する部分には、フレーム側継ぎ目３３が上方に突出するように形成される。
【００３２】
＜係止爪２６について＞
一対の係止爪２６は、共に同じ形状であるので、このうちの一つについて図１０を参照しながら説明をすると、係止爪２６は、平坦で平行な上面３４及び下面３５を有する。また、係止爪２６は、平坦で平行な一対の側面（符号省略）を有する。さらに、係止爪２６は、曲面となる突出先端３６と、この突出先端３６及び上面３４を繋ぐテーパ面３７とを有する。下面３５は、後述する係止部４８を係止する係止面として機能する。また、テーパ面３７は、後述する叩き入れの際に係止部４８を案内する傾斜面として機能する。係止爪２６は、係止部４８との回転中心（後述する）を考慮して、また、係止部４８の弾性変形（後述する）を考慮して突出量が適宜設定される。
【００３３】
＜フレーム側継ぎ目３３について＞
図９ないし図１１において、フレーム側継ぎ目３３は、後述するカバー側継ぎ目４９に挿入される凸状の部分に形成される。フレーム側継ぎ目３３は、カバー側継ぎ目４９と共に防水構造３８を形成する。フレーム側継ぎ目３３は、外部からの水分の浸入をし難くする部分として機能する。このようなフレーム側継ぎ目３３は、本実施例において、外周壁２２の全体にわたって形成される。別な言い方をすれば、外壁端部３２の全周にわたって形成される。フレーム側継ぎ目３３における引用符号３９は先端を示す。また、引用符号４０は先端３９から連続する外側のテーパ面、引用符号４１は先端３９から連続する内側のテーパ面を示す。外側のテーパ面４０は傾斜面が大きく、一方、内側のテーパ面４１は傾斜面が小さく形成される。先端３９の位置は、内周壁２３の後述する内壁端部４２の位置よりも下方の低い位置に配置される（内壁端部４２と同じ位置であってもよいが、低い位置の方が防水面で好ましい）。また、先端３９の位置は、カバー側継ぎ目４９の後述する継ぎ目内壁５３の先端５９よりも上下方向で高い位置に配置される（継ぎ目内壁５３の先端５９と同じ位置であってもよいが、高い位置の方が防水面で好ましい）。
【００３４】
＜内周壁２３について＞
図４ないし図６において、内周壁２３は、外周壁２２の内側に所定の間隔（連結リブ３０や隙間３１に応じた間隔）で配置される。内周壁２３は、フレーム１２の周方向に複数の内壁２３ａ、２３ｂ、２３ｃ…を連続させて形成される。このような内周壁２３において、上述の上部開口１３（開口）がある側の端部をここでは内壁端部４２と呼ぶことにする。また、複数の内壁２３ａ、２３ｂ、２３ｃ…のうち、外壁２２ａに対向する壁を内壁２３ａ（一つの内壁）と呼ぶことにすると、この内壁２３ａの内壁端部４２に対応する部分の先端４３は、図１０に示す如く、フレーム側継ぎ目３３の先端３９の位置よりも上下方向に高い位置に配置形成される。尚、この高い位置は、フレーム側継ぎ目３３が形成される範囲で適用されるものとする。
【００３５】
＜一対の係止保護部２７について＞
図１及び図４において、一対の係止保護部２７は、係止爪２６に合わせて配置形成される。具体的には、係止爪２６の左右両側に位置するように配置形成される。一対の係止保護部２７は、上下方向に真っ直ぐのびるような突条の形状に形成される。一対の係止保護部２７は、係止爪２６と後述する係止部４８との係止状態６２を保護するために（外因によって係止状態６２が解除されないように）、係止爪２６及び係止部４８よりも外側に突出する部分に形成される。尚、一対の係止保護部２７の変形例については、図１２及び図１３を参照しながら後述するものとする。
【００３６】
＜アッパーカバー１４（カバー）について＞
図１ないし図６において、アッパーカバー１４は、上述の上部開口１３（開口）に合わせた形状の本体壁４４と、高さの低いカバー周壁４５とを有して、浅底で蓋形状の部材に形成される。カバー周壁４５は、複数の側壁４５ａ、４５ｂ、４５ｃ…を連続させて形成される。このようなアッパーカバー１４には、フレーム１２のロック部２４、２５に対するロック部４６、４７が形成される。また、アッパーカバー１４には、フレーム１２の一対の係止爪２６に対する一対の係止部４８と、カバー側継ぎ目４９とが形成される。複数の側壁４５ａ、４５ｂ、４５ｃ…のうち、外壁２２ａに対応する壁を側壁４５ａ（一つの側壁）と呼ぶことにすると、この側壁４５ａに一対の係止部４８が配置形成される。側壁４５ａには、カバー側継ぎ目４９も配置形成される。尚、本体壁４４は、筐体３を構成する壁のうち最も上に位置する壁になり、そのため天井壁と呼んでもよいものとする。
【００３７】
＜係止部４８について＞
一対の係止部４８は、共に同じ形状であるので、このうちの一つについて図１０を参照しながら説明をすると、係止部４８は、軸部５０と、一対のアーム部５１とを有して四角環形状に形成される。軸部５０は、係止爪２６に引っ掛けられて回転中心になるような部分に形成される。また、軸部５０は、係止爪２６の上面３４に当たる部分、テーパ面３７にて案内される部分、突出先端３６を通過する部分、及び、下面３５にて係止される部分に形成される。一対のアーム部５１は、軸部５０と、カバー側継ぎ目４９の後述する継ぎ目外壁５２とを連結する部分に形成される。尚、本実施例においては、係止部４８が形成される側壁４５ａが弾性変形可能な状態に形成され、恰も係止部４８自身が弾性変形するような動きをするものとする（これとは別に、一対のアーム部５１に可撓性を持たせて係止部４８自身が弾性変形するようにしてもよい）。
【００３８】
＜カバー側継ぎ目４９について＞
図９ないし図１１において、カバー側継ぎ目４９は、アッパーカバー１４が正規に取り付けられた状態で、凸状のフレーム側継ぎ目３３が挿入される凹状の部分に形成される。カバー側継ぎ目４９は、フレーム側継ぎ目３３と共に防水構造３８を形成して外部からの水分の浸入をし難くする部分として機能する。このようなカバー側継ぎ目４９は、本実施例において、カバー周壁４５の全体にわたって形成される。別な言い方をすれば、カバー周壁４５の下側全周にわたって形成される。カバー側継ぎ目４９は、外壁２２ａよりも外側に配置形成される継ぎ目外壁５２と、この継ぎ目外壁５２よりも内側に配置形成される継ぎ目内壁５３と、継ぎ目外壁５２及び継ぎ目内壁５３を連結する連結壁５４とを有して上記の如く凹状の部分に形成される。
【００３９】
＜継ぎ目外壁５２について＞
図１０において、継ぎ目外壁５２は、連結壁５４から外壁２２ａの外壁端部３２に向けて真っ直ぐ下方にのびる第一の壁５５と、この第一の壁５５の端部から外方へ若干突出するような部分の段部５６と、段部５６から真っ直ぐ下方にのびる第二の壁５７とを有して、フレーム側継ぎ目３３の外面、外壁端部３２、外壁２２ａの外面に合わせたような図示形状に形成される。段部５６の内面側には、テーパ面５８が形成される。このテーパ面５８は、フレーム側継ぎ目３３における外側のテーパ面４０の傾斜に合わせた形状に形成される。段部５６は、外壁端部３２に当接するような部分に形成される。第二の壁５７は、第一の壁５５よりも薄肉に形成され、内面が外壁２２ａの外面に接触、又は、微小な間隔をあけて対向するように形成される。別な言い方をすれば、水分の浸入をし難くする部分に形成される。第二の壁５７は、この先端が係止爪２６の上面３４に対し近づくように形成される。第二の壁５７は、後述する叩き入れの際に、具体的には係止部４８が係止爪２６を乗り越えて弾性復帰した際に、外壁２２ａの外面を打ち付けて「パチン」というような音を出せる部分に形成される。
【００４０】
＜継ぎ目内壁５３について＞
図１０において、継ぎ目内壁５３は、連結壁５４から二重壁の構造２９の隙間３１に向けて真っ直ぐ下方にのびる部分に形成される。内壁端部４２は、継ぎ目外壁５２の第一の壁５５よりも短い長さで形成される。継ぎ目内壁５３における引用符号５９は先端を示す。また、引用符号６０は先端５９から連続する外側のテーパ面を示す。外側のテーパ面６０は傾斜面が大きく形成される。先端５９の位置は、内周壁２３の内壁端部４２の位置よりも上下方向で低い位置に配置される。また、先端５９の位置は、フレーム側継ぎ目３３の先端３９よりも上下方向で低い位置に配置される（フレーム側継ぎ目３３の先端３９と同じ位置であってもよいが、低い位置の方が防水面で好ましい）。継ぎ目内壁５３は、フレーム側継ぎ目３３及び内壁２３ａのうち、内壁２３ａに対し近づけた状態に配置形成される。別な言い方をすれば、継ぎ目内壁５３は、内壁２３ａとの間隔を極力狭めるような状態に配置形成される。継ぎ目内壁５３は、内壁２３ａとの間隔を極力狭めることで、この部分からの水分の浸入を阻止することを狙っている。また、継ぎ目内壁５３は、上記間隔を狭めることで、フレーム側継ぎ目３３の先端３９との当接を回避することを狙っている。さらに、継ぎ目内壁５３は、上記間隔を狭めることで、逆にフレーム側継ぎ目３３との間隔を広げ、カバー側継ぎ目４９の引用符号６１で示す空間（水分の圧力を緩和させるような空間）から、水分を外壁２２ａと内壁２３ａとの間に落とし込み易くすることを狙っている。すなわち、継ぎ目内壁５３の配置は、後述する叩き入れを確実に行えるようにしたり、防水性を向上させたりすることを狙っている。
【００４１】
＜アッパーカバー１４の取り付け構造について＞
図４ないし図６において、本実施例では、アッパーカバー１４を傾けて行う場合を「正規の取り付け構造」、アッパーカバー１４を傾けずに叩き入れにより下方へ移動させて行う場合を「叩き入れの取り付け構造」、と呼ぶものとする。また、係止爪２６及び係止部４８が形成される側において、図示しないがアッパーカバー１４が浮き上がっている状態で叩き入れにより行う場合も「叩き入れの取り付け構造」と呼ぶものとする（浮き上がっている状態は、フレーム１２のロック部２４にアッパーカバー１４のロック部４６が先に嵌合してしまうことにより起こる）。先ず、「正規の取り付け構造」について以下に説明をする。
【００４２】
＜正規の取り付け構造について＞
図６、図７、図９、及び図１０において、「正規の取り付け構造」では、アッパーカバー１４を傾けてアッパーカバー１４の係止部４８をフレーム１２の係止爪２６に引っ掛ける。具体的には、係止部４８の軸部５０を係止爪２６の下面３５に引っ掛けて、これら係止部４８及び係止爪２６をアッパーカバー１４の回転中心にする。アッパーカバー１４を傾けた状態から、フレーム１２の上部開口１３（開口）を完全に覆うようにアッパーカバー１４を回転させてロック完了まで行うと、この時、凸状のフレーム側継ぎ目３３が凹状のカバー側継ぎ目４９に挿入される。また、この時、継ぎ目外壁５２の段部５６が外壁２２ａの外壁端部３２に当接する。また、この時、継ぎ目外壁５２の第二の壁５７が外壁２２ａの外面に接触又は微小な間隔をあけて対向する。また、この時、継ぎ目内壁５３が外壁２２ａと内壁２３ａとの間に挿入される。また、この時、継ぎ目内壁５３が内壁２３ａとの間隔を極力狭めるような状態に配置される。以上により、係止爪２６と係止部４８の部分に係止状態６２が形成される。係止状態６２が形成されると、フレーム側継ぎ目３３とカバー側継ぎ目４９の部分には、防水構造３８（防水状態）が形成される。
【００４３】
＜防水構造３８について＞
図１０において、防水構造３８による作用をここで説明すると、例えば高圧洗浄などにより外部から水分が浸入しようとした場合、継ぎ目外壁５２の第二の壁５７と外壁２２ａの海面との間の微小な間隔から水分が浸入する。浸入した水分は、上昇して段部５６に当たり、この位置で堰き止められるが、アッパーカバー１４を押し上げるほどの強い圧力が掛かった場合には、段部５６を通過して更に上昇し、空間６１で連結壁５４や継ぎ目内壁５３の基端部に吹き掛かる。尚、空間６１により水分の圧力低下が生じる。水分は、空間６１を介し外壁２２ａと内壁２３ａとの間に落とし込まれ、仮に水分が更に内部へ浸入しようとしても、継ぎ目内壁５３が内壁２３ａとの間隔を極力狭めるような状態に配置されることから、浸入は阻止される。また、継ぎ目内壁５３における先端５９の位置が、フレーム側継ぎ目３３における先端３９の位置よりも上下方向で低い位置に配置されることから、この点においても水分の浸入は阻止される。
【００４４】
＜叩き入れの取り付け構造について＞
図６、図８、図１０、及び図１１において、「叩き入れの取り付け構造」では、上記正規の場合のようなアッパーカバー１４の傾け及び回転をせずに、叩き入れによってアッパーカバー１４を下方へ移動させて係止状態６２を形成する。叩き入れは、アッパーカバー１４の本体壁４４を上から比較的強めに叩くことであり、このような叩き入れによって先ず係止部４８の軸部５０が係止爪２６の上面３４に当たる。この時、係止部４８には圧縮の力が加わり、圧縮の力は係止部４８周辺の側壁４５ａに作用して弾性変形を引き起こす。次に、係止部４８の軸部５０は、係止爪２６の上面３４からテーパ面３７へと摺動し、テーパ面３７にて案内された後に突出先端３６を通過する。この時、上記弾性変形は元の状態へと弾性復帰をし、この復帰に伴って係止部４８の軸部５０は係止爪２６の下面３５にて係止される。すなわち、係止爪２６と係止部４８の部分に係止状態６２が形成される。この時、フレーム側継ぎ目３３とカバー側継ぎ目４９の部分には、防水構造３８（防水状態）が形成される。
【００４５】
＜ロアカバー１６について＞
図１において、ロアカバー１６は、底壁６３と、高さの低い周壁６４とを有して、浅底で蓋形状の部材に形成される。このようなロアカバー１６には、フレーム１２に対するロック部（符号省略）が設けられる。また、ロアカバー１６には、固定脚部１９も設けられる。尚、本実施例では形状が異なるが、ロアカバー１６とフレーム１２との間に、上述の係止状態６２（図１０参照）の形成や、防水構造３８（図１０参照）を採用してもよいものとする。
【００４６】
＜電気接続箱１の効果について＞
以上、図１ないし図１１を参照しながら説明してきたように、本発明の一実施形態である電気接続箱１によれば、カバー側継ぎ目４９を構成する継ぎ目内壁５３をフレーム１２の内周壁２３に対し近づけた状態に配置形成することから、外部から浸入した水分を内周壁２３の内側の電気ブロック２まで到達させ難くすることができる。また、上記近づけた状態に継ぎ目内壁５３を配置形成することから、アッパーカバー１４の浮き上がりを解消するための叩き入れをする際に、この叩き入れに影響するような当たり（当接）を起こらせないようにすることができる。従って、本発明によれば、防水構造３８及び叩き入れ構造をより良くすることができる。
【００４７】
＜一対の係止保護部２７の変形例について＞
図１２及び図１３を参照しながら係止保護部２７の変形例について説明をする。図１２は一対の係止保護部２７の変形例を示す電気接続箱１の斜視図、図１３は図１２の一対の係止保護部２７の拡大図である。
【００４８】
図１２及び図１３において、変形例としての一対の係止保護部２７は、係止爪２６に合わせて配置形成される。具体的には、係止爪２６の左右両側に位置するように配置形成される。一対の係止保護部２７は、上下方向に真っ直ぐのびるような突条の形状に形成される。一対の係止保護部２７は、係止爪２６と係止部４８との係止状態６２を保護するために（外因によって係止状態６２が解除されないように）、係止爪２６及び係止部４８よりも外側に突出する部分に形成される。このような一対の係止保護部２７には、案内部６５がそれぞれ形成される。案内部６５は、係止爪２６に向けて係止部４８を案内する部分としてテーパ形状に形成される。一対の係止保護部２７は、係止爪２６と係止部４８との係止状態６２を保護することができるとともに、係止爪２６に向けて係止部４８を案内する構造を採用することから、係止状態６２の確実な形成を図ることができる。
【００４９】
本発明は本発明の主旨を変えない範囲で種々変更実施可能なことは勿論である。
【符号の説明】
【００５０】
１…電気接続箱、  ２…電気ブロック、  ３…筐体、  ４…リレー（電気部品）、  ５…リレー組み付け部、  ６、７、８…ヒューズ（電気部品）、  ９、１０、１１…ヒューズ組み付け部、  １２…フレーム、  １３…上部開口（開口）、  １４…アッパーカバー（カバー）、  １５…下部開口、  １６…ロアカバー、  １７、１８、１９…固定脚部、  ２０…挿通孔、  ２１…端末収容空間、  ２２…外周壁、  ２２ａ…外壁（一つの外壁）、  ２３…内周壁、  ２３ａ…内壁（一つの内壁）、  ２４、２５…ロック部、  ２６…係止爪、  ２７…係止保護部、  ２８…組み付け部、  ２９…二重壁の構造、  ３０…連結リブ、  ３１…隙間、  ３２…外壁端部、  ３３…フレーム側継ぎ目、  ３４…上面、  ３５…下面、  ３６…突出先端、  ３７…テーパ面、  ３８…防水構造、  ３９…先端、  ４０…外側のテーパ面、  ４１…内側のテーパ面、  ４２…内壁端部、  ４３…先端、  ４４…本体壁、  ４５…カバー周壁、  ４５ａ…側壁（一つの側壁）、  ４６、４７…ロック部、  ４８…係止部、  ４９…カバー側継ぎ目、  ５０…軸部、  ５１…アーム部、  ５２…継ぎ目外壁、  ５３…継ぎ目内壁、  ５４…連結壁、  ５５…第一の壁、  ５６…段部、  ５７…第二の壁、  ５８…テーパ面、  ５９…先端、  ６０…外側のテーパ面、  ６１…空間、  ６２…係止状態、  ６３…底壁、  ６４…周壁、  ６５…案内部
【図１】
2019088124.tif 000003
【図２】
2019088124.tif 000004
【図３】
2019088124.tif 000005
【図４】
2019088124.tif 000006
【図５】
2019088124.tif 000007
【図６】
2019088124.tif 000008
【図７】
2019088124.tif 000009
【図８】
2019088124.tif 000010
【図９】
2019088124.tif 000011
【図１０】
2019088124.tif 000012
【図１１】
2019088124.tif 000013
【図１２】
2019088124.tif 000014
【図１３】
2019088124.tif 000015